(57)【要約】      （修正有）【課題】十分な明るさを有する照明として使用できる照明付き充電装置を提供する。【解決手段】コンセントの差込口に挿入される複数の刃３１を有する差し込み部は、ケースの第１の面１０ａと、第１の面と隣り合う第２の面１０ｂと、が交わる第１の辺を含む位置に回動可能に設けられる。また、透明なレンズが、第１の面と隣り合う面の少なくとも１つの面に設けられ、レンズを介してケースの外部へ光を照射する光源４２，４３が、ケースの内部に設けられる。また、刃と電気的に接続された携帯機器充電用の携帯機器接続端子５０がケースに設けられる。【選択図】図４
0003189072.tif 000002
【実用新案登録請求の範囲】
【請求項１】
角柱形状のケースと、
前記ケースに設けられ、コンセントの差込口に挿入される複数の刃を有する差し込み部と、
前記ケースに設けられた光源と、
前記ケースに設けられ、前記刃と電気的に接続された携帯機器充電用の携帯機器接続端子と、
を備え、
前記差し込み部は、第１の面に設けられ、
前記光源は、前記第１の面と隣り合う面の少なくとも１つの面に設けられた透明なレンズと、前記ケースの内部に設けられ、前記レンズを介して前記ケースの外部へ光を照射する光源と、を有する
ことを特徴とする照明付き充電装置。
【請求項２】
請求項１に記載の照明付き充電装置であって、
前記差し込み部は、前記第１の面と、前記第１の面と隣り合う第２の面と、が交わる第１の辺を含む位置に、前記刃が前記第２の面から突出するように設けられ、
前記第１の面には、前記第１の辺に向かい合う第２の辺に沿ってリブが形成され、
前記携帯機器接続端子は、前記第１の面及び前記第２の面以外の面に設けられる
ことを特徴とする照明付き充電装置。
【請求項３】
請求項１又は２に記載の照明付き充電装置であって、
前記ケースは、前記第１の面は、前記第２の面と交わり、前記第１の面と平行な第３の面より大きく、前記第２の面が、前記第１の面と交わり、前記第２の面と平行な第４の面より大きい略五角柱形状であり、
前記第３の面と前記第４の面と交わる第５の面は、透明又は半透明な材料で形成され、
前記ケースの内部には、前記第５の面に光を照射する光源がさらに設けられる
ことを特徴とする照明付き充電装置。
【請求項４】
請求項３に記載の照明付き充電装置であって、
前記差し込み部は、前記刃が前記第１の面から突出するように設けられ、
前記レンズは、前記第２の面に設けられる
ことを特徴とする照明付き充電装置。
【請求項５】
請求項１から４のいずれか一項に記載の照明付き充電装置であって、
前記ケースの前記第４の面に、明るさ検出素子が設けられる
ことを特徴とする照明付き充電装置。
【考案の詳細な説明】
【技術分野】
【０００１】
本考案は、照明付き充電装置に関する。
【背景技術】
【０００２】
特許文献１には、充電器本体の一側にプラグが設けられ、内部に充電及び変圧整流機能を有する基板が設けられ、本体のもう一側に透光のケースが設けられ、この部分の内部に一つ或いは複数の発光ダイオードで組成された発光装置及びホトセンシティブ抵抗が設けられ、本体末端に分離可能な連接線が設けられ、該連接線末端にプラグが設けられて携帯電話に結合可能で、充電のプロセスを行える夜間或いは暗室照明機能を有する充電器が開示されている。
【先行技術文献】
【特許文献】
【０００３】
【特許文献１】実用新案登録第３０９２２４０号
【考案の概要】
【考案が解決しようとする課題】
【０００４】
しかしながら、特許文献１に記載の考案では、透明ケースを介した光しか外部に照射されないため、照明機能として不十分である。
【０００５】
本考案はこのような事情に鑑みてなされたもので、充電器として使用でき、かつ十分な明るさを有する照明として使用できる照明付き充電装置を提供することを目的とする。
【課題を解決するための手段】
【０００６】
上記課題を解決するために、本考案に係る照明付き充電装置は、例えば、角柱形状のケースと、前記ケースに設けられ、コンセントの差込口に挿入される複数の刃を有する差し込み部と、前記ケースに設けられた光源と、前記ケースに設けられ、前記刃と電気的に接続された携帯機器充電用の携帯機器接続端子と、を備え、前記差し込み部は、第１の面に設けられ、前記光源は、前記第１の面と隣り合う面の少なくとも１つの面に設けられた透明なレンズと、前記ケースの内部に設けられ、前記レンズを介して前記ケースの外部へ光を照射する光源と、を有することを特徴とする。
【０００７】
本考案に係る照明付き充電装置によれば、コンセントの差込口に挿入される複数の刃を有する差し込み部は、角柱形状のケース第１の面に設けられる。また、透明なレンズが、第１の面と隣り合う面の少なくとも１つの面に設けられ、レンズを介してケースの外部へ光を照射する光源が、ケースの内部に設けられる。また、刃と電気的に接続された携帯機器充電用の携帯機器接続端子がケースに設けられる。これにより、充電器として使用でき、かつ十分な明るさを有する照明として使用することができる。特に、透明なレンズを介してケースの外部へ光を照射するため、光を拡散することができる。
【０００８】
ここで、前記差し込み部は、前記第１の面と、前記第１の面と隣り合う第２の面と、が交わる第１の辺を含む位置に、前記刃が前記第２の面から突出するように設けられ、前記第１の面には、前記第１の辺に向かい合う第２の辺に沿ってリブが形成され、前記携帯機器接続端子は、前記第１の面及び前記第２の面以外の面に設けられてもよい。これにより、第１の面に携帯機器を載せたときに、携帯機器が滑り落ちることを防止することができる。また、携帯機器接続端子が壁と対向しないため、携帯機器を携帯機器接続端子に接続しやすい。
【０００９】
ここで、前記ケースは、前記第１の面は、前記第２の面と交わり、前記第１の面と平行な第３の面より大きく、前記第２の面が、前記第１の面と交わり、前記第２の面と平行な第４の面より大きい略五角柱形状であり、前記第３の面と前記第４の面と交わる第５の面は、透明又は半透明な材料で形成され、前記ケースの内部には、前記第５の面に光を照射する光源がさらに設けられてもよい。これにより、刃が第１の面から突出するときも、刃が第２の面から突出するときも、刃をコンセントの差込口に挿入した使用状態において、透明又は半透明な材料で形成された第５の面を介して光を照射することができる。
【００１０】
ここで、前記差し込み部は、前記刃が前記第１の面から突出するように設けられ、前記レンズは、前記第２の面に設けられてもよい。これにより、刃が前記第１の面から突出するときに、刃をコンセントの差込口に挿入した使用状態において、レンズが上向き又は下向きに設けられる。レンズが上向きに設けられたときは、天井照明として使用でき、レンズが下向きに設けられたときは、足元照明として使用できる。
【００１１】
ここで、前記ケースの前記第４の面に、明るさ検出素子が設けられてもよい。これにより、刃が第１の面から突出するときも、刃が第２の面から突出するときも、刃をコンセントの差込口に挿入した使用状態において、明るさ検出素子が部屋の明るさを検出することができる。
【考案の効果】
【００１２】
本考案によれば、充電器として使用でき、かつ十分な明るさを有する照明として使用できる。
【図面の簡単な説明】
【００１３】
【図１】本考案の一例である照明付き充電装置１の斜視図である。
【図２】照明付き充電装置１の斜視図である。
【図３】照明付き充電装置１を充電器として使用する状態を示す図である。
【図４】照明付き充電装置１を照明として使用する状態を示す図であり、（Ａ）は天井照明として使用する状態を示す図であり、（Ｂ）は足元照明として使用する状態を示す図である。
【考案を実施するための形態】
【００１４】
以下、本考案の実施形態を、図面を参照して詳細に説明する。
図１、図２は、本考案の一例である照明付き充電装置１の斜視図である。照明付き充電装置１は、主として、ケースＡ１０と、ケースＢ２０と、差し込み部３０と、発光部４０と、携帯機器接続端子５０と、を有する。
【００１５】
ケースＡ１０は、不透明な材料（例えば、ＡＢＳ樹脂）で形成された有底筒状の部材である。ケースＡ１０は、主として、底面１０ａと、底面１０ａに隣り合う第１の側面１０ｂ、第２の側面１０ｃ、第３の側面１０ｄ及び第４の側面１０ｅと、を有する。
【００１６】
底面１０ａ、第１の側面１０ｂ、第２の側面１０ｃ、第３の側面１０ｄ及び第４の側面１０ｅは、略長方形であり、隣り合う面は略直交している。
【００１７】
ケースＡ１０の底面１０ａと第１の側面１０ｂとが交わる辺を含む位置には、差し込み部３０が回動自在に設けられる。また、底面１０ａには、底面１０ａと第４の側面１０ｅとが交わる辺（底面１０ａと第１の側面１０ｂとが交わる辺に向かい合う辺）に沿ってリブ１１が形成される。
【００１８】
差し込み部３０は、主として、２本の刃３１と、本体部３２とを有する。刃３１は、コンセント本体の差込口に挿入される。なお、刃３１の本数は２本に限られない（例えば３本でもよい）し、刃３１の形状もこれに限られない（例えば、略円柱形でもよい）。
【００１９】
本体部３２は、図１における実線の位置と点線の位置との間（約１８０度の間）で刃３１が回動可能となるように、ケースＡ１０に設けられる。差し込み部３０が底面１０ａと重なる位置にあるとき（図１点線参照）に、底面１０ａから差し込み部３０が突出しないように、底面１０ａには凹部１０ｆが形成される。それに伴い第１の側面１０ｂ及び第３の側面１０ｄには切り欠きが形成されている。
【００２０】
また、第３の側面１０ｄには、携帯機器充電用の携帯機器接続端子５０が設けられる。携帯機器接続端子５０は、刃３１と電気的に接続されており、これにより携帯機器接続端子５０に接続された携帯機器１００（図３参照）に電気が供給される。
【００２１】
ケースＢ２０は、透明又は半透明な材料（例えば、アクリル樹脂、ポリカーボネート樹脂）で形成された有底筒状の部材である。ケースＡ１０の開口部とケースＢ２０の開口部とを合わせるようにケースＡ１０とケースＢ２０とが組み立てられることで、照明付き充電装置１の中空のケースが形成される。
【００２２】
ケースＢ２０は、主として、第１の底面２０ａ−１と、第２の底面２０ａ−２と、ケースＡ１０との組み立て時に第１の側面１０ｂと一体となる第１の側面２０ｂと、ケースＡ１０との組み立て時に第２の側面１０ｃと一体となる第２の側面２０ｃと、ケースＡ１０との組み立て時に第３の側面１０ｄと一体となる第３の側面２０ｄと、ケースＡ１０との組み立て時に第４の側面１０ｅと一体となる第４の側面２０ｅと、を有する。
【００２３】
ケースＡ１０とケースＢ２０とを組み立てたときに、第１の側面１０ｂと第１の側面２０ｂとで形成する面は、第４の側面１０ｅと第４の側面２０ｅで形成する面より大きい。また、底面１０ａは、第２の底面２０ａ−２より大きい。よって、ケースＡ１０とケースＢ２０とを組み立てたケースは、略五角柱形状となる。
【００２４】
なお、ケースＡ１０の隣り合う面は略直交するため、第１の側面１０ｂと第１の側面２０ｂとで形成する面と、第４の側面１０ｅと第４の側面２０ｅで形成する面とは略平行である。また、底面１０ａと第１の底面２０ａ−１とは略平行ではなく、底面１０ａと、第２の底面２０ａ−２とは略平行である。
【００２５】
第１の側面２０ｂには、孔２１が形成される。孔２１には、透明な材料で形成されたレンズ４１が設けられる。なお、本実施の形態では、孔２１は２個であるが、孔の数はこれに限られないし、位置もこれに限定されない。
【００２６】
発光部４０は、主として、レンズ４１と、光源４２、４３とを有する。レンズ４１は、凸レンズである。光源４２、４３は、例えばＬＥＤであり、ケースＡ１０又はケースＢ２０により形成される中空のケースの内部に設けられた基板４４に設けられる。基板４４は、刃３１と電気的に接続されており、これにより光源４２、４３に電気が供給される。なお、光源４２、４３はＬＥＤには限定されない。
【００２７】
光源４２は、図２に示すように、レンズ４１の背面に設けられ、レンズ４１を介してケースＢ２０の外部へ光を照射する。なお、レンズ４１、光源４２は、孔２１と同様、数及び位置はこれに限定されない。
【００２８】
光源４３は、図２に示すように、第１の底面２０ａ−１の背面に設けられ、ケースＢ２０を介してケースＢ２０の外部へ光を照射する。
【００２９】
ケースＡ１０の第４の側面１０ｅには、明るさ検出素子４５が設けられる。明るさ検出素子４５は、例えば硫化カドミウム（ＣｄＳ）素子やフォトトランジスタであり、光量によって変化する電気抵抗を測定することにより、照明付き充電装置１の周囲の明るさが検出可能である。基板４４に設けられた電子部品を含む回路（図示せず）により明るさ検出素子４５の電気抵抗を測定し、この結果照明付き充電装置１の周囲の明るさが所定の明るさより暗い場合には、光源４２、４３が点灯する。明るさを検出し、それに基づいて光源を点灯させる技術は既に公知であるため、説明を省略する。
【００３０】
次に、このように構成される照明付き充電装置１の使用方法について、図３及び図４を用いて説明する。
【００３１】
図３は、照明付き充電装置１を充電器として使用する状態を示す図である。図３において、左側の斜線でハッチングした部分は壁である。また、図３では、壁に設けられたコンセントについての図示を省略する。
【００３２】
充電器として使用するときは、刃３１が第１の側面１０ｂから突出するように、差し込み部３０を配置する。この状態で、コンセントの差込口に刃３１を挿入すると、底面１０ａが上向き（図３における上向き）となる。
【００３３】
携帯機器接続端子５０に電気的に接続した携帯機器１００を、底面１０ａの上に載置することができる。底面１０ａにはリブ１１が設けられているため、底面１０ａから携帯機器１００が滑り落ちることが防止される。
【００３４】
また、携帯機器接続端子５０が第３の側面１０ｄに設けられるため、携帯機器接続端子５０が壁に対向しない。したがって、携帯機器接続端子５０と携帯機器１００とを電気的に接続しやすい。なお、携帯機器接続端子５０は、第２の側面１０ｃ又は第４の側面１０ｅに設けられてもよい。
【００３５】
図４は、照明付き充電装置１を照明として使用する状態を示す図であり、（Ａ）は天井照明として使用する状態を示す図であり、（Ｂ）は足元照明として使用する状態を示す図である。図４（Ａ）、（Ｂ）において、左側の斜線でハッチングした部分は壁であり、図４（Ｂ）において下側の斜線でハッチングした部分は床である。また、図４では、壁に設けられたコンセントについての図示を省略する。
【００３６】
照明として使用するときは、刃３１が底面１０ａから突出するように、差し込み部３０を配置する。この状態で、コンセントの差込口に刃３１を挿入すると、第１の側面１０ｂ及び第１の側面２０ｂが上向き（図４（Ａ）における上向き）又は下向き（図４（Ｂ）における下向き）となる。なお、照明として使用する場合においても、携帯機器接続端子５０と携帯機器１００（図４では図示を省略）とを電気的に接続すれば、携帯機器１００の充電器として使用することができる。
【００３７】
図４（Ａ）に示す場合は、第１の側面１０ｂが上向きであるため、光源４２から照射された光は、上向きに（天井に向けて）照射される。図４（Ａ）の格子でハッチングした領域Ｘで表されるように、上向きに（天井に向けて）照射される光は、レンズ４１（図４では図示を省略）で拡散される。したがって、照明付き充電装置１が壁の低い位置に設けられた場合は部屋を部分的に照らす照明となり、照明付き充電装置１が壁の高い位置（天井の近く）に設けられた場合は天井を照らす天井照明となる。
【００３８】
図４（Ｂ）に示す場合は、第１の側面１０ｂが下向きであるため、光源４２から照射された光は、下向きに（床に向けて）照射される。図４（Ｂ）の格子でハッチングした領域Ｘで表されるように、下向きに（床に向けて）照射される光は、レンズ４１（図４では図示を省略）で拡散される。したがって、照明付き充電装置１が壁の高い位置に設けられた場合は部屋を部分的に照らす照明となり、照明付き充電装置１が壁の低い位置に設けられた場合は足元を照らす足元照明となる。
【００３９】
さらに、光源４３により第１の底面２０ａ−１が照らされる。図４（Ａ）、（Ｂ）に示す場合は、底面１０ａが壁に対向するため、第１の底面２０ａ−１が露出し、光源４３から照射された光が第１の底面２０ａ−１を介して部屋に照射される。したがって、照明付き充電装置１の位置が使用者に分かりやすくなる。さらに、光源４３が照明としての機能も果たす。
【００４０】
なお、第４の側面１０ｅと第４の側面２０ｅで形成する面は、第１の側面１０ｂと第１の側面２０ｂとで形成する面より小さいため、図４に示す場合のみでなく、図３に示す状態においても、第１の底面２０ａ−１が露出する。したがって、光源４３から照射された光が第１の底面２０ａ−１を介して部屋に照射され、照明付き充電装置１の位置が使用者に分かりやすくなる。よって、照明付き充電装置１を、充電器のみならず補助照明としても使用できる。
【００４１】
本実施の形態によれば、充電器としての使用に加え、足元照明又は天井照明としても使用することができる。特に、光源４２から照射した光をレンズ４１で拡散するため、十分な明るさを有する照明としても機能する。
【００４２】
また、本実施の形態によれば、充電器として使用する場合にも、天井照明又は足元照明として使用する場合にも、第１の底面２０ａ−１が露出する。したがって、光源４３から照射された光を、第１の底面２０ａ−１を介して部屋に照射することができる。特に、第２の底面２０ａ−２を小さく、第１の底面２０ａ−１を大きく形成することで、部屋に照射される光量を増やすことができる。
【００４３】
また、本実施の形態によれば、第４の側面１０ｅに明るさ検出素子４５が設けられるため、充電器として使用する場合にも、天井照明又は足元照明として使用する場合にも、明るさ検出素子４５が壁に向かう位置に配置されない。したがって、照明付き充電装置１を使用する姿勢にかかわらず、明るさ検出素子４５が部屋の明るさを検出することができる。
【００４４】
また、本実施の形態によれば、底面１０ａを上向きにして使用する場合に、携帯機器１００を底面１０ａの上に載置した時に、リブ１１により、底面１０ａから携帯機器１００が滑り落ちることを防止することができる。
【００４５】
なお、本実施の形態では、ケースＡ１０とケースＢとで形成される中空のケースは、略台形を有する略四角柱形状に形成されたが、形状はこれに限定されない。例えば、全ての面が長方形（または正方形）の略四角柱形状でもよいし、平行四辺形を有する略四角柱形状でもよい。また、レンズ４１が設けられる面は、第１の側面１０ｂに限らず、側面であればどの面でもよい。ただし、使用形態のバリエーションを考慮すると、中空のケースを略台形を有する略四角柱形状に形成し、レンズ４１を第１の側面１０ｂに設けることが望ましい。また、第２の底面２０ａ−２はなくてもよい。
【００４６】
また、図４の使用状態のみ（図３の使用状態は含まない）でも、充電器としての使用に加え、足元照明又は天井照明としても使用することができる。この場合には、差し込み部３０は、刃３１が底面１０ａから突出するように設けられていればよく、回動可能に設けられなくてもよい。さらに、差し込み部３０は、底面１０ａに設けられていればよく、底面１０ａと第１の側面１０ｂとが交わる辺を含む位置に設けられなくてもよい。
【００４７】
以上、この考案の実施形態を、図面を参照して詳述してきたが、具体的な構成はこの実施形態に限られるものではなく、この考案の要旨を逸脱しない範囲の設計変更等も含まれる。
【符号の説明】
【００４８】
１：照明付き充電装置、１０：ケースＡ、１０ａ：底面、１０ｂ：第１の側面、１０ｃ：第２の側面、１０ｄ：第３の側面、１０ｅ：第４の側面、１０ｆ：凹部、１１：リブ、２０：ケースＢ、２０ａ：底面、２０ｂ：第１の側面、２０ｃ：第２の側面、２０ｄ：第３の側面、２０ｅ：第４の側面、２１：孔、３０：差し込み部、３１：刃、３２：本体部、４０：発光部、４１：レンズ、４２、４３：光源、４４：基板、４５：明るさ検出素子、５０：携帯機器接続端子
【図１】
0003189072.tif 000003
【図２】
0003189072.tif 000004
【図３】
0003189072.tif 000005
【図４】
0003189072.tif 000006